(57)【要約】【課題】液体ディスペンサにおいて、液体吐出後、そのノズルの残留液体の滴下を防止する。【解決手段】容器の口部に取付けられ容器内の液体を吸引貯留するアキュムレータ室を備えたシリンダと、そのシリンダの内径に往復動可能に挿通されたピストンと、このピストンに一端を嵌合し他端にノズル付きヘッドを装着したステムからなり、前記アキュムレータ室下端には吸い込み弁体と吸液パイプを、ステムには吐出弁体を備え、前記シリンダ内にはピストンを上昇に付勢するスプリングを内挿した液体用ディスペンサにおいて、ヘッド内ノズルの一部に空気流通孔を開設し、該ヘッドに例えばエア吐出用蛇腹を装着し、該蛇腹からのエアが空気流通孔を通ってノズル内に圧送されるようにする。該蛇腹を押してヘッドを押下げるとエアはノズルから液体と共に吐出される。液体吐出終了後はノズル内の残留液体を蛇腹の中に吸引し、ノズルからの滴下を防止する。【選択図】      図１
2006291809.tif 000002
【特許請求の範囲】
【請求項１】
容器の口部に取付けられて容器内の液体を吸引貯留するアキュムレータ室を備えたシリンダ、または、および外気を吸引貯留する空気用アキュムレータ室を備えたシリンダと、そのシリンダ内を往復動可能に挿通されたピストンと、このピストンを一端に嵌合し他端にノズル付きヘッドを装着した液流路となるステムからなり、前記アキュムレータ室の下端には吸い込み弁機構と吸液パイプを、ステムには吐出弁機構を備え、前記シリンダ内にはピストンを上昇方向に付勢するスプリングを内挿した液体用または泡吐出用ディスペンサにおいて、前記ヘッドの上部に加圧による変形および除圧による復元が可能な送風弾性体を液密、気密に装着した減圧室とし、該減圧室からノズルの内径内に連通するエア流通孔を開口したことを特徴とする液体用ディスペンサ。
【請求項２】
容器の口部に取付けられて容器内の液体を吸引貯留するアキュムレータ室を備えたシリンダと、そのシリンダの内径に往復動可能に挿通されたピストンと、このピストンを一端に嵌合し他端にノズル付きヘッドを装着した液流路となるステムと、前記アキュムレータ室の下端には吸い込み弁体と吸液パイプを、ステムには吐出用弁体を備え、前記シリンダ内にはピストンを上昇方向に付勢するスプリングを内挿した液体用ディスペンサにおいて、前記ヘッドの上部を加圧による変形および除圧による復元が可能な送風弾性体を液密、気密に装着した減圧室とし、該減圧室からノズルの内径内に連通するエア流通孔を開口し、該エア流通孔より下流側のノズル内にメッシュまたは多孔質体を装着したことを特徴とする液体用ディスペンサ。
【発明の詳細な説明】
【技術分野】
【０００１】
本発明は、液体をまたは液体を泡状にして定量吐出するための手動ポンプにおいて、そのノズルからの液だれ防止機構に関する。また、簡易な泡用ポンプの機構にも関する。
【背景技術】
【０００２】
容器内に充填されたシャンプーやリンスを液体として、或いは泡化して取り出すための手動ポンプディスペンサが容器口部に取付けられて使用されている。その一般的な構造は底部に吸入弁を有する液体用シリンダと、泡状吐出ポンプにおいてはさらに空気用シリンダと、そのシリンダ内において往復動するピストンと、そのピストンに挿通する吐出弁付きステムと、そのステムに嵌合装着された吐出ノズル付きヘッドと、前記吸入弁の下方に挿通した吸液パイプからなるもので、主として据え置き状態で使用される。
【０００３】
したがって、片手でヘッドを押し下げ、ノズルから液体を吐出させるのであるが、その吐出後、ノズル内に残留する液体が暫時その先端より滴下することが欠点とされている。その対策として液だれ防止機構を組み込んだ液体吐出ポンプが開発されている。その一例を説明する。通常、ヘッドを押し下げて液体を吐出した後にピストンが復帰工程に入ると直ちに液体アキュムレータ内が減圧されて吐出弁が閉鎖されるが、この例では、ポンプ室内に弁軸を上下方向に移動可能に装着し、弁軸下端の吸入弁用弁体が吸入弁の弁座に当接した状態で、弁軸上端の位置をロック時における吐出弁の弁座よりも高い位置に設定して、ピストンの復帰工程における吐出弁の閉鎖を若干遅延させることによってシリンダ内を負圧にし、その負圧によりノズル側から空気ないし残留液体をシリンダ内に取り込むものである。
【特許文献１】特開平０８−３３７２６３号公報（図３）
【発明の開示】
【発明が解決しようとする課題】
【０００４】
前記、弁軸利用の液だれ防止用ディスペンサにおいては、吐出弁の閉鎖と吸入弁の開放を遅延させる時間の調整が重要で、多くの空気がシリンダ内に取り込まれると次回のポンプ操作において、最初に吐出されるのが空気で、その後に液体が出てくるという不都合が生じる可能性がある。また、ディスペンサの弁構造が複雑で装置の単価が高くなることが問題であった。
【０００５】
また、液体を泡状にして吐出する泡ポンプにおいては、エアを混合した液体を多孔質体またはメッシュを通過させることによって泡を生成させるのであるが、この多孔質体に付着した液体はやがて乾燥して薄い貧苦を形成して目詰まりが生じ、次回の使用時に十分な吐出量および吐出スピードが得られない欠点がある。
【課題を解決するための手段】
【０００６】
上記の問題を解決するため、本発明の請求項１に記載のポンプは、容器の口部に取付けられてその容器から吸引した液体を貯留するアキュムレータ室を備えた液体用シリンダと、または、および空気を貯留するアキュムレータ室を備えたエア用シリンダと、そのシリンダ内を往復動可能に挿通された液体用およびエア用ピストンと、このピストンに一端を嵌合し他端をノズル付きヘッドに嵌合した液流路となるステムと、前記液体用アキュムレータ室の下端に吸込み弁体と吸液パイプを、前記ステムには吐出弁体を備え、前記液体用シリンダ内にはピストンを上昇方向に付勢するスプリングを内挿した構成のディスペンサにおいて、吐出ヘッドの上面に加圧による変形および除圧による復元が可能な弾性体を液蜜、かつ、気密に装着した減圧室とし、該減圧室からノズル内径に連通するエア流通孔を開口する。
【０００７】
請求項２に記載のポンプは、容器の口部に取付けられて容器内の液体を吸引貯留するアキュムレータ室を備えた液体用シリンダと、そのシリンダの内径に往復動可能に挿通されたピストンと、このピストンを一端に嵌合し他端にノズル付きヘッドを装着した液流路となるステムと、前記アキュムレータ室の下端には吸い込み弁体と吸液パイプを、前記ステムには吐出用弁体を備え、前記シリンダ内にはピストンを上昇方向に付勢するスプリングを内挿した液体用ディスペンサにおいて、前記ヘッドの上部を加圧による変形および除圧による復元が可能な弾性体を液密かつ、気密に装着した減圧室とし、該減圧室からノズルの内径内に連通するエア流通孔を開口し、該エア流通孔より下流側のノズル内にメッシュまたは多孔質体を装着した。
【発明の効果】
【０００８】
前記、ポンプディスペンサのヘッドの上端、すなわち弾性体に手をあてがって押し下げると、弾性体が変形して、その変形量に応じた空気が前記のエア流通孔からノズル内に圧送され吐出される。前記泡吐出ポンプにはこのノズル内に多孔質体が装着されているが、この吐出された空気が該多孔質体に付着している液体を吹き飛ばしてその後の液体または泡状体の通過を容易にする。さらに、ヘッドの押し下げを続けると該弾性体が変形しながらヘッドと共にステムおよびそのステムに装着されたピストンがシリンダ内を降下してアキュムレータ室の液体を圧縮し、該アキュムレータ室内の液体を吐出弁を通してノズルから吐出することになる。このとき、前記同様に弾性体の変形に見合った空気が前記のエア流通孔からノズル内に圧送されることにより、このエア圧がノズル内で多孔質体の細孔を通過する泡状液体の流動を補助することになりスムーズな吐出ができる。また、一般的な液体用ディスペンサにおいてそのノズル内に多孔質体等を装着した場合、その多孔質体より上流でエアと混合した液体は該多孔質体を通過することにより、簡易に泡化される。
【０００９】
液体吐出後、ヘッドの押し下げを停止すると変形していた弾性体はその形状を復元し、ヘッド上部の減圧室は減圧されることになる。この減圧により、ノズル内の残留液体は前記エア流通孔を通って減圧室に逆流することになる。これによって、ノズル内に液体の滞留がなくその先端からの液垂れが解消される。同時にスプリングの付勢によりピストン、ステム、ヘッドが上昇して容器中の液体をアキュムレータ室に吸い上げることは勿論である。
【００１０】
弾性体としては、例えばプラスチック製の蛇腹があるがこれに限定されるものではない。空気の吐出量を比較的多く必要とする、たとえば多孔質体またはメッシュを挿入する泡用ディスペンサにおいては蛇腹が有用である。
【発明を実施するための最良の形態】
【００１１】
本発明について、図面を参照してその詳細を説明する。図１は実施例１を示したもので、容器Ｂの口部Ｂｎにキャップ１７により取付けられる液体ディスペンサ１は、容器内から吸引した液体を貯留する液体アキュムレータ室２ａを備えた液体用シリンダ２と、その上方にエア用アキュムレータ室３ａを備えたエア用シリンダ３と、それらのシリンダ内を往復動可能に挿通された液体用ピストン４、エア用ピストン５と、そのピストン４、５が嵌合し、かつ、内径が液流路６ａとなるステム６と、そのステム６の上端に嵌合された送液管７と、その送液管７の上端に嵌合したノズル８付きヘッド９と、前記アキュムレータ室２ａの下端に装着した吸込弁体１０および吸液パイプ１１と、前記ステム６の上端に装着した吐出弁体１２とからなり、前記ステム６の下端に嵌合された液体用ピストン４の下端には上昇方向に付勢するスプリング１３が内挿された構成になる一般的な泡吐出用ポンプである。
【００１２】
上記のポンプは、ヘッドを押し下げることによって、ピストン４、５がそれぞれのシリンダ２，３内を降下し、前回のストロークにより吸い上げられた液体用アキュムレータ２ａ内の液体が液流路６ａおよび吐出弁１２を通って上昇し、この液体が吐出弁１２の上方において、ステム６と送液管７の嵌合隙間から上昇するエア用シリンダ３内からのエアと混合され、多孔質体１６を通過することによって泡体として吐出されるものである。
【００１３】
本発明はこのようなポンプディスペンサにおいて、前記ノズル８の一部にヘッド９の上面よりエア流通孔１４を連通状に穿設し、かつ、そのヘッド９の上面にプラスチックなどの弾性体、例えば蛇腹１５を気密、かつ、液密に装着したエア用減圧室１５ａを設け、該弾性体１５の圧縮による吐出エアが前記エア流通孔１４を経てノズル８内に排出される構成とする。
【００１４】
図２は、前記の泡吐出用ポンプディスペンサ１において、蛇腹１５の代わりにゴムキャップ１５ｃを装着したもので、そのゴムキャップ１５ｃの変形に伴う吐出空気はエア流通孔１４に導入されてノズル８の先端から排出されることは図１と同様である。
【００１５】
図３には、エア用ピストン５を有しない一般的な液体吐出用ポンプ２１を示している。このポンプ２１においても、前記同様、ヘッド９内を通過するノズルの一部にエア流通孔１４を穿口し、かつ、そのヘッド９の上面にプラスチックなどの弾性体、例えば蛇腹１５を気密、かつ、液密に装着してエア用減圧室を構成し、この弾性体蛇腹１５の圧縮により吐出されるエアが前記エア流通孔１４に導入されてノズル８の先端から排出されるようにしたものである。
【００１６】
この図３の液体吐出用ポンプ２１において、ノズル８の内径内であって、前記エア流通孔１４より下流側に仮想線で示した連続気孔を有する弾性体１６ないしメッシュが挿入されている。この構成になる液体ディスペンサを例えば洗剤液が充填された容器Ｂの口径部Ｂｎにキャップ１７により取付ける。そして、蛇腹１５を押し下げると該蛇腹が圧縮されながらヘッド９、ステム６およびピストン４が同時に下降する。このとき、蛇腹１５から吐出される最初の空気は多孔質体１６に残留付着する前回吐出時の液体を吹き飛ばし、その残余は多孔質体１６より上流において液通路内を上昇してきた液体と混合され、該多孔質体１６を通過する。この多孔質体１６を通過することによって該液体は泡化し吐出されることになる。これによって、図１、図２に示したエア用のシリンダおよびポンプが不要になる。
【００１７】
前記のヘッド押下げ操作により、ノズルから液体が吐出された後、ヘッド上部の押圧を解除すると弾性体１５が復元する。これによって、ヘッド上部の減圧室１５ａが負圧になり、その負圧はエア流通孔１４からノズル８内の泡または液体およびエアを吸入することによって解消する。したがって、ノズル８内には液体が残留しないが減圧室１５ａの底部にはノズル先端にあった若干の泡状液体が滞留することになる。この液体は次回の液体吐出操作時、すなわちヘッド押圧操作によってエア流通孔１４からエアと共に（または、エアに優先して）排出されるので、一操作分以上の液体が残留することはない。
【００１８】
この前記一操作分の残留液体は次回の操作まで滞留しているが、減圧室１５ａの底面に窄孔されたエア流通孔１４が小径であること、および弾性体１５が気密、液密に装着されていることから、該減圧室１５ａが密閉容器となり該エア流通孔１４からノズル内に滴下することは皆無である。
【産業上の利用可能性】
【００１９】
シャンプー、リンス、台所用洗剤等を定量取り出すために、容器の口径部に取付けて使用される。特に、台所の流しの周辺に置かれる洗剤容器において、洗剤吐出後にノズルから不用意に滴下することは不潔であると考える主婦が多い。この滴下が解消されたので家庭向きに多く使用されるであろう。また、簡単な構造によって液体を泡として取り出せるのでシャンプーなどの消費量の削減に寄与するものである。
【図面の簡単な説明】
【００２０】
【図１】本発明に係る第１の実施例として蛇腹を装着した泡吐出用ディスペンサであって、ヘッドが最上昇位置にある状態を示した中央断面図である。
【図２】本発明に係る第２の実施例としてゴムキャップを装着した泡吐出用ディスペンサであって、ヘッドが最上昇位置にある状態を示した中央断面図である。
【図３】本発明に係る第２の実施例として蛇腹を装着した液体ディスペンサであって、ヘッドが下死点にある状態を示した中央断面図である。
【符号の説明】
【００２１】
１  液体ディスペンサ
２、３  シリンダ
４、５  ピストン
６  ステム
７  送液管
８  ノズル８
９  ヘッド
１０  吸込弁体
１１  吸液パイプ
１２  吐出弁体
１３  スプリング
１４  エア流通孔
１５  弾性体
【図１】
2006291809.tif 000003
【図２】
2006291809.tif 000004
【図３】
2006291809.tif 000005
【手続補正書】
【提出日】平成17年10月26日(2005.10.26)
【手続補正１】
【補正対象書類名】特許請求の範囲
【補正対象項目名】請求項１
【補正方法】変更
【補正の内容】
【請求項１】
容器の口部に取付けられて容器内の液体を吸引貯留するアキュムレータ室を備えたシリンダ、または、および外気を吸引貯留する空気用アキュムレータ室を備えたシリンダと、そのシリンダ内を往復動可能に挿通されたピストンと、このピストンを一端に嵌合し他端にノズル付きヘッドを装着した液流路となるステムからなり、前記アキュムレータ室の下端には吸い込み弁体と吸液パイプを、ステムには吐出弁体を備え、前記シリンダ内にはピストンを上昇方向に付勢するスプリングを内挿した液体用または泡吐出用ディスペンサにおいて、前記ヘッドの上部を加圧による変形および除圧による復元が可能な送風弾性体を液密、気密に装着した減圧室とし、該減圧室からノズルの内径内に連通するエア流通孔を開口したことを特徴とする液体用ディスペンサ。
【手続補正２】
【補正対象書類名】特許請求の範囲
【補正対象項目名】請求項２
【補正方法】変更
【補正の内容】
【請求項２】
容器の口部に取付けられて容器内の液体を吸引貯留するアキュムレータ室を備えたシリンダと、そのシリンダの内径に往復動可能に挿通されたピストンと、このピストンを一端に嵌合し他端にノズル付きヘッドを装着した液流路となるステムと、前記アキュムレータ室の下端には吸い込み弁体と吸液パイプを備え、前記シリンダ内にはピストンを上昇方向に付勢するスプリングを内挿した液体用ディスペンサにおいて、前記ヘッドの上部を加圧による変形および除圧による復元が可能な送風弾性体を液密、気密に装着した減圧室とし、該減圧室からノズルの内径内に連通するエア流通孔を開口し、該エア流通孔より下流側のノズル内にメッシュまたは多孔質体を装着したことを特徴とする液体用ディスペンサ。
【手続補正３】
【補正対象書類名】明細書
【補正対象項目名】０００１
【補正方法】変更
【補正の内容】
【０００１】
本発明は、液体をまたは液体を泡状にして定量吐出するための手動ポンプディスペンサにおいて、そのノズルからの液だれ防止機構に関する。また、簡易な泡用ポンプディスペンサ（以下において、ポンプと略記することがある。）の機構にも関する。
【手続補正４】
【補正対象書類名】明細書
【補正対象項目名】０００５
【補正方法】変更
【補正の内容】
【０００５】
また、液体を泡状にして吐出する泡ポンプにおいては、エアを混合した液体を多孔質体またはメッシュを通過させることによって泡を生成させるのであるが、この多孔質体に付着した液体はやがて乾燥して薄い皮膜を形成して目詰まりが生じ、次回の使用時に十分な吐出量および吐出スピードが得られない欠点がある。
【手続補正５】
【補正対象書類名】明細書
【補正対象項目名】０００６
【補正方法】変更
【補正の内容】
【０００６】
上記の問題を解決するため、本発明の請求項１に記載のポンプは、容器の口部に取付けられてその容器から吸引した液体を貯留するアキュムレータ室を備えた液体用シリンダと、または／および空気を貯留するアキュムレータ室を備えたエア用シリンダと、そのシリンダ内を往復動可能に挿通された液体用およびエア用ピストンと、このピストンに一端を嵌合し他端をノズル付きヘッドに嵌合した液流路となるステムと、前記液体用アキュムレータ室の下端に吸込み弁体と吸液パイプを、前記ステムには吐出弁体を備え、前記液体用シリンダ内にはピストンを上昇方向に付勢するスプリングを内挿した構成のディスペンサにおいて、吐出ヘッドの上面に加圧による変形および除圧による復元が可能な弾性体を液密、かつ、気密に装着した減圧室を形成し、該減圧室からノズル内径に連通するエア流通孔を開口する。
【手続補正６】
【補正対象書類名】明細書
【補正対象項目名】０００７
【補正方法】変更
【補正の内容】
【０００７】
請求項２に記載のポンプは、容器の口部に取付けられて容器内の液体を吸引貯留するアキュムレータ室を備えた液体用シリンダと、そのシリンダの内径に往復動可能に挿通されたピストンと、このピストンを一端に嵌合し他端にノズル付きヘッドを装着した液流路となるステムと、前記アキュムレータ室の下端には吸い込み弁体と吸液パイプを、前記ステムには吐出用弁体を備え、前記シリンダ内にはピストンを上昇方向に付勢するスプリングを内挿した液体用ディスペンサにおいて、前記ヘッドの上部に加圧による変形および除圧による復元が可能な弾性体を液密かつ、気密に装着した減圧室を形成し、該減圧室からノズルの内径内に連通するエア流通孔を開口し、該エア流通孔より下流側のノズル内にメッシュまたは多孔質体を装着した。
【手続補正７】
【補正対象書類名】明細書
【補正対象項目名】０００８
【補正方法】変更
【補正の内容】
【０００８】
前記、ポンプディスペンサのヘッドの上端、すなわち弾性体に手をあてがって押し下げると、弾性体が変形して、その変形量に応じた空気が前記のエア流通孔からノズル内に圧送され吐出される。前記泡吐出ポンプにはこのノズル内に多孔質体が装着されているが、この吐出された空気が該多孔質体に付着している液体を吹き飛ばしてその後の液体または泡状体の通過を容易にする。さらに、ヘッドの押し下げを続けると該弾性体が変形しながらヘッドと共にステムおよびそのステムに装着されたピストンがシリンダ内を降下してアキュムレータ室の液体を圧縮し、該アキュムレータ室内の液体を吐出弁を通してノズルから吐出することになる。このとき、前記同様に弾性体の変形に見合った空気が前記のエア流通孔からノズル内に圧送されることにより、このエア圧がノズル内で多孔質体の細孔を通過する泡状液体の流動を補助することになりスムーズな吐出ができる。また、一般的な液体用ディスペンサにおいてそのノズル内に多孔質体等を装着した場合、その多孔質体より上流で該弾性体変形に伴う圧縮エアと液体が混合して該多孔質体を通過することにより、簡易に泡化される。
【手続補正８】
【補正対象書類名】明細書
【補正対象項目名】００１１
【補正方法】変更
【補正の内容】
【００１１】
本発明について、図面を参照してその詳細を説明する。図１は実施例１を示したもので、容器Ｂの口部Ｂｎにキャップ１７により取付けられる液体ディスペンサ１は、容器内から吸引した液体を貯留する液体アキュムレータ室２ａを備えた液体用シリンダ２と、その上方にエア用アキュムレータ室３ａを備えたエア用シリンダ３と、それらのシリンダ内を往復動可能に挿通された液体用ピストン４、エア用ピストン５と、そのピストン４、５が嵌合し、かつ、内径が液流路６ａとなるステム６と、そのステム６の上端に嵌合された送液管７と、その送液管７の上端に嵌合したノズル８付きヘッド９と、前記アキュムレータ室２ａの下端に装着した吸込弁体１０および吸液パイプ１１と、前記ステム６の上端に装着した吐出弁体１２とからなり、前記ステム６の下端に嵌合された液体用ピストン４の下端には上昇方向に付勢するスプリング１３が内挿された構成になる一般的な泡吐出用ポンプである。なお、液体用ピストン４の内径内にはガイドシャフト１８が流液可能な間隙を設けて立設されている。
【手続補正９】
【補正対象書類名】明細書
【補正対象項目名】００１６
【補正方法】変更
【補正の内容】
【００１６】
この図３の液体吐出用ポンプ２１において、ノズル８の内径内であって、前記エア流通孔１４より下流側に仮想線で示した連続気孔を有する弾性体１６ないしメッシュが挿入されている。この構成になる液体ディスペンサを例えば洗剤液が充填された容器Ｂの口径部Ｂｎにキャップ１７により取付ける。そして、蛇腹１５を押し下げると該蛇腹が圧縮されながらヘッド９、ステム６およびピストン４が同時に下降する。このとき、蛇腹１５から吐出される最初の空気は多孔質体１６に残留付着する前回吐出時の液体を吹き飛ばし、その残余は多孔質体１６より上流において液通路内を上昇してきた液体と混合される。すなわち、ステム６に摺動自在に嵌合されたピストン４はヘッド９の降下初期にステム外径を相対的に上昇してその側面に穿孔した弁口６ｂを開口し、液体アキュムレータ室２ａと液流路６ａとを連通させる。この状態でヘッドをされに降下させると液体アキュムレータ室２ａの液体は該弁口６ｂを経てステム内を上昇し、前記の多孔質体１６に達する。そこで前記の蛇腹１５から押しだされた空気と混合して多孔質体１６を通過することになり、該液体は泡化し吐出されることになる。これによって、図１、図２に示したエア用のシリンダおよびポンプが不要になる。
【手続補正１０】
【補正対象書類名】図面
【補正対象項目名】図１
【補正方法】変更
【補正の内容】
【図１】
2006291809.tif 000006
【手続補正１１】
【補正対象書類名】図面
【補正対象項目名】図２
【補正方法】変更
【補正の内容】
【図２】
2006291809.tif 000007
【手続補正１２】
【補正対象書類名】図面
【補正対象項目名】図３
【補正方法】変更
【補正の内容】
【図３】
2006291809.tif 000008